(57)【要約】【課題】  多重帯域信号の分離及び変換方法並びに装置を提供する。【解決手段】  本装置は、外部から受信される光信号を電気信号に変換する光電変換装置と、前記変換された電気信号を周波数帯域に従って分離する第１スイッチと、前記第１スイッチで分離された信号のうち移動通信網の信号を増幅する第１移動通信帯域通過増幅器と、前記第１スイッチで分離された信号のうち基底帯域信号を広帯域信号にアップコンバートする広帯域アップコンバータと、前記広帯域アップコンバータから出力された広帯域信号を増幅する第１広帯域増幅器と、前記第１広帯域増幅器及び前記第１移動通信増幅器により増幅された信号を無線で送信する送信機とを含む。【選択図】  図２
2010537539.tif 000002
【特許請求の範囲】
【請求項１】
外部から受信される光信号を電気信号に変換する光電変換装置と、
前記変換された電気信号を周波数帯域に従って分離する第１スイッチと、
前記第１スイッチで分離された信号のうち移動通信網の信号を増幅する第１移動通信帯域通過増幅器と、
前記第１スイッチで分離された信号のうち基底帯域信号を広帯域信号にアップコンバートする広帯域アップコンバータと、
前記広帯域アップコンバータから出力された前記広帯域信号を増幅する第１広帯域増幅器と、
前記第１広帯域増幅器及び前記第１移動通信帯域通過増幅器により増幅された信号を無線で送信する送信機と
を含む、多重帯域信号の分離及び変換装置。
【請求項２】
多重帯域の無線信号を外部から受信する受信機と、
前記受信機で受信された信号を周波数帯域に従って分離する第２スイッチと、
前記第２スイッチで分離された信号のうち移動通信網の信号を増幅する第２移動通信帯域通過増幅器と、
前記第２スイッチで分離された信号のうち広帯域信号を基底帯域信号にダウンコンバートする広帯域ダウンコンバータと、
前記広帯域ダウンコンバータから出力された基底帯域信号を増幅する第２広帯域増幅器と、
前記増幅された基底帯域信号を光信号に変換する電光変換装置と
をさらに含む、請求項１に記載の多重帯域信号の分離及び変換装置。
【請求項３】
前記光電変換装置により受信される光信号及び前記電光変換装置から送信される光信号の両方は、光デュプレクサを使用して同一の光ファイバ束を介して入出力されることを特徴とする、請求項１に記載の多重帯域信号の分離及び変換装置。
【請求項４】
前記第１スイッチは、前記受信された信号を分析し、あらかじめ定められたデータ形式に従って前記受信された信号を分割することを特徴とする、請求項１に記載の多重帯域信号の分離及び変換装置。
【請求項５】
前記第１移動通信帯域通過増幅器は、前記受信された信号の振幅のみを増加させることを特徴とする、請求項１に記載の多重帯域信号の分離及び変換装置。
【請求項６】
前記広帯域アップコンバータは、前記入力された基底帯域信号をあらかじめ定められた広帯域標準に従って変調することを特徴とする、請求項１に記載の多重帯域信号の分離及び変換装置。
【請求項７】
前記受信機及び前記送信機は、デュプレクサを使用して１つのアンテナを介して信号の送信及び受信を行うことを特徴とする、請求項２に記載の多重帯域信号の分離及び変換装置。
【請求項８】
前記第２スイッチは、前記受信された信号を分析し、あらかじめ定められたデータ形式に従って前記受信された信号を分割することを特徴とする、請求項２に記載の多重帯域信号の分離及び変換装置。
【請求項９】
前記広帯域ダウンコンバータは、前記入力された広帯域信号をあらかじめ定められた広帯域標準に従って復調することを特徴とする、請求項２に記載の多重帯域信号の分離及び変換装置。
【請求項１０】
少なくとも１つの光信号を外部から受信するステップと、
前記受信された光信号を電気信号に変換するステップと、
前記変換された電気信号を分析し、前記受信された光信号が基底帯域信号であれば、前記変換された電気信号を広帯域信号にアップコンバートするステップと、
前記アップコンバートされた電気信号をあらかじめ定められた広帯域通信標準に従って変換するステップと、
前記変換された電気信号を増幅し、無線周波数信号を送信するステップと
を含む、多重帯域信号の分離及び変換方法。
【請求項１１】
前記受信された信号が移動通信網信号であれば、前記受信された信号を増幅して、無線周波数信号を送信するステップをさらに含むことを特徴とする、請求項１０に記載の多重帯域信号の分離及び変換方法。
【請求項１２】
少なくとも１つの無線信号を外部から受信するステップと、
前記受信された無線信号を分析し、前記受信された無線信号が広帯域信号であれば、前記受信された無線信号をあらかじめ定められた広帯域通信標準に従って復調して、前記無線信号を基底帯域信号にダウンコンバートするステップと、
前記ダウンコンバートされた信号を光信号に変換するステップと、
前記変換された光信号を光ファイバ束を介して送信するステップと
をさらに含むことを特徴とする、請求項１０に記載の多重帯域信号の分離及び変換方法。
【請求項１３】
前記受信された信号が移動通信網信号であれば、前記受信された信号を増幅し、前記増幅された信号を光信号に変換し、前記変換された光信号を光ファイバ束を介して送信するステップをさらに含むことを特徴とする、請求項１１に記載の多重帯域信号の分離及び変換方法。
【発明の詳細な説明】
【技術分野】
【０００１】
本発明は、多重帯域信号の分離及び変換方法並びに装置に関する。特に、本発明は、光通信網を介して受信される多重帯域信号を周波数帯域に分離及び変換する方法及び装置に関する。
【０００２】
この研究は、ＭＩＣ（韓国情報通信省）／ＩＩＴＡ（韓国情報技術先進研究所）［２００５−Ｓ−０３９−０３、６０ＧＨｚピコセル通信用ＳｏＰ（Ｓｙｓｔｅｍ  ｏｎ  Ｐａｃｋａｇｅ）］のＩＴ研究開発プログラムにより支援された。
【背景技術】
【０００３】
移動通信技術の発展に伴い、ＢｃＮ（Ｂｒｏａｄｂａｎｄ Ｃｏｎｖｅｒｇｅｎｃｅ Ｎｅｔｗｏｒｋ）、移動通信及びテレメチックス分野において広帯域の無線接続システムを構築するために有線基盤の無線技術の利用が検討されている。
【０００４】
このような広帯域の無線サービスを行うための様々な搬送周波数及びデータ変調方式の研究が進んでいるが、既存の強力な有線網を直接活用するアクセス方式はまだ存在していない。
【０００５】
現在、既存の無線サービスを広帯域化する技術的限界により、新しいサービスの標準化作業に多くの注目が集まっている。特に、現在の無線サービスは、２．４ＧＨｚ（ＩＥＥＥ ８０２．１１ ｇ）の周波数帯で５４Ｍｂｐｓの伝送速度を提供し、ＩＥＥＥ ８０２．１６ｍで最大１Ｇｂｐｓの伝送速度を提供するように標準化されている。また、これとは別途に、ミリ波帯域の標準化作業分野として、ＩＥＥＥ８０２．１５．３ｃ（ＷＰＡＮ：Ｗｉｒｅｌｅｓｓ  Ｐｅｒｓｏｎａｌ  Ｎｅｔｗｏｒｋ）、ＥＴＳＩ／ＢＲＡＮ（ＷＬＡＮ：Ｗｉｒｅｌｅｓｓ ＬＡＮ）、ＩＳＯ／ＴＣ ２０４ ＷＧ１６（ＩＶＣ：Ｉｎｔｅｒ Ｖｅｈｉｃｌｅ Ｃｏｍｍｕｎｉｃａｔｉｏｎ, ＲＶＣ：Ｒｏａｄｓｉｄｅ Ｖｅｈｉｃｌｅ Ｃｏｍｍｕｎｉｃａｔｉｏｎ）、及びＥＣＭＡ／ＩＳＯが存在する。
【０００６】
しかしながら、既存の様々な無線サービスのためのネットワークを構築する場合、異なる周波数帯において異なる無線接続システムを使用することにより、システム構築及び維持費用が増加する。また、様々な無線サービスを別個に構成することは、非常に非効率的である。
【０００７】
従って、今後開発される無線サービスに対応するために１つの変換装置で多重帯域の無線通信をすべて支援することができる多重帯域分離及び変換技術の必要性が増加してきている。
【発明の概要】
【発明が解決しようとする課題】
【０００８】
本発明の目的は、多重帯域信号の分離及び変換方法並びに装置を提供することにある。
【０００９】
また、本発明の他の目的は、光通信網を利用した多重帯域信号の分離及び変換方法並びに装置を提供することにある。
【００１０】
また、本発明のさらに他の目的は、入出力信号の形式にかかわらず、例えばＷＬＡＮ、Ｗｉｂｒｏ／４Ｇ、衛星ＤＭＢ、ＵＷＢサービスに、サービス領域を拡張することができる多重帯域信号分離及び変換方法及び装置を提供することにある。
【００１１】
また、本発明のさらに他の目的は、既存の有線網を利用した広帯域データの送受信が可能であり、多重帯域無線サービスを提供することが可能な多重帯域信号の分離及び変換方法並びに装置を提供することにある。
【課題を解決するための手段】
【００１２】
本発明の一態様によると、外部から受信される光信号を電気信号に変換する光電変換装置（ｐｈｏｔｏｅｌｅｃｔｒｉｃ  ｃｏｎｖｅｒｔｅｒ）と、前記変換された電気信号を周波数帯域に従って分離する第１スイッチと、前記第１スイッチで分離された信号のうち移動通信網の信号を増幅する第１移動通信帯域通過増幅器と、前記第１スイッチで分離された信号のうち基底帯域信号を広帯域信号にアップコンバートする広帯域アップコンバータと、前記広帯域アップコンバータから出力された前記広帯域信号を増幅する第１広帯域増幅器と、前記第１広帯域増幅器及び前記第１移動通信帯域通過増幅器により増幅された信号を無線で送信する送信機と、を含む多重帯域信号の分離及び変換装置が提供される。
【００１３】
この装置は、多重帯域の無線信号を外部から受信する受信機と、前記受信機で受信された信号を周波数帯域に従って分離する第２スイッチと、前記第２スイッチで分離された信号のうち移動通信網の信号を増幅する第２移動通信帯域通過増幅器と、前記第２スイッチで分離された信号のうち広帯域信号を基底帯域信号にダウンコンバートする広帯域ダウンコンバータと、前記広帯域ダウンコンバータから出力された基底帯域信号を増幅する第２広帯域増幅器と、前記増幅された基底帯域信号を光信号に変換する電光変換装置（ｅｌｅｃｔｒｏ−ｏｐｔｉｃａｌ ｃｏｎｖｅｒｔｅｒ）とをさらに含むことができる。
【００１４】
前記光電変換装置に受信される光信号及び前記電光変換装置から送信される光信号の両方は、光デュプレクサを通じて同一の光ファイバ束を介して入出力されてもよい。また、前記第１スイッチは、前記受信された電気信号を分析し、あらかじめ定められたデータ形式に従って前記受信された信号を分割してもよい。また、前記第１移動通信帯域通過増幅器は、前記受信された信号の振幅のみを増加させてもよい。また、前記広帯域アップコンバータは、前記入力された基底帯域信号をあらかじめ定められた広帯域標準に従って変調してもよい。
【００１５】
また、前記受信機及び前記送信機は、デュプレクサを使用して１つのアンテナを介して信号の送信及び受信を行ってもよい。また、前記第２スイッチは、前記受信された信号を分析し、あらかじめ定められたデータ形式に従って前記受信された信号を分割してもよい。また、前記広帯域ダウンコンバータは、前記入力された広帯域信号をあらかじめ定められた広帯域標準に従って復調してもよい。
【００１６】
本発明の他の態様によると、多重帯域信号の分離及び変換方法が提供される。この方法は、少なくとも１つの光信号を外部から受信するステップと、前記受信された光信号を電気信号に変換するステップと、前記変換された電気信号を分析し、前記受信された信号が基底帯域信号であれば、前記変換された電気信号を広帯域信号にアップコンバートするステップと、前記アップコンバートされた電気信号をあらかじめ定められた広帯域通信標準に従って変換するステップと、前記変換された電気信号を増幅し、無線周波数信号を送信するステップとを含む。
【００１７】
好ましい実施例において、前記受信された信号が移動通信網信号であれば、前記受信された信号を増幅して、無線周波数信号を送信するステップをさらに含むことができる。
【００１８】
また、前記方法は、少なくとも１つの無線信号を外部から受信するステップと、前記受信された無線信号を分析し、前記受信された無線信号が広帯域信号であれば、前記受信された無線信号をあらかじめ定められた広帯域通信標準に従って復調して、前記無線信号を基底帯域信号にダウンコンバートするステップと、前記ダウンコンバートされた信号を光信号に変換するステップと、前記変換された光信号を光ファイバ束を介して送信するステップとを含むことができる。また、方法は、前記受信された信号が移動通信網信号であれば、前記受信された信号を増幅し、前記増幅された信号を光信号に変換し、前記光信号を光ファイバ束を介して送信するステップとをさらに含むことができる。
【発明の効果】
【００１９】
上記のように、本発明は、多重帯域信号の分離及び変換方法並びに装置を提供する。
【００２０】
また、本発明によって光通信網を利用した多重帯域信号を分離及び変換することができる。また、サービス領域は、入出力信号の形式にかかわらず、例えばＷＬＡＮ、Ｗｉｂｒｏ／４Ｇ、衛星ＤＭＢ、ＵＷＢサービスに、拡張することができる。また、本発明による方法及び装置は、既存の有線網を利用した広帯域データを無線で送受信することが可能であり、多重帯域無線サービスを提供することができる。
【図面の簡単な説明】
【００２１】
【図１】本発明の例示的な実施形態による多重帯域信号の分離及び変換装置が使用される全体的なネットワーク構成を示す図である。
【図２】本発明の例示的な実施形態による多重帯域信号の分離及び変換装置を示す構成図である。
【図３】本発明の例示的な実施形態による多重帯域信号の分離及び変換方法を示す流れ図である。
【図４】本発明の例示的な実施形態によって信号が変換される前の過程を示すグラフである。
【図５】本発明の例示的な実施形態によって信号が変換された後の過程を示すグラフである。
【図６】本発明の他の例示的な実施形態による多重帯域信号の分離及び変換装置を示す構成図である。
【発明を実施するための形態】
【００２２】
以下、例示的な実施形態が示される添付の図面を参照して、本発明による多重帯域信号の分離及び変換方法並びに装置について詳しく説明する。
【００２３】
本発明において使用される広帯域信号は、包括的にミリ波信号を意味する。特にミリ波帯域の一実施例として、現在標準化作業がなされている６０ＧＨｚ帯域信号を意味することができる。また、本発明において使用される移動通信網信号は、略１ＧＨｚ乃至３ＧＨｚ帯の無線周波（ＲＦ）信号を主に意味し、ＰＣＳ（Ｐｅｒｓｏｎａｌ Ｃｏｍｍｕｎｉｃａｔｉｏｎ Ｓｅｒｖｉｃｅ）、２世代、３世代、４世代移動通信網、ＷＬＡＮ（Ｗｉｒｅｌｅｓｓ ＬＡＮ）、ワイブロ（Ｗｉｂｒｏ）、ＤＭＢ（Ｄｉｇｉｔａｌ Ｍｕｌｔｉｍｅｄｉａ Ｂｒｏａｄｃａｓｔｉｎｇ）サービス及びＵＷＢ（Ｕｌｔｒａ Ｗｉｄｅ Ｂａｎｄ）サービスにおいて使用される周波数帯域をすべて含む。
【００２４】
また、基底帯域信号は、下位の無線周波信号を意味する。このような基底帯域信号は、有線上で送受信される信号であってもよく、実際のデータを含んでいる信号であってもよい。
【００２５】
図１は、本発明による多重帯域信号の分離及び変換装置が使用される全体的なネットワーク構成を示す図である。
【００２６】
図１を参照すれば、本発明が適用される無線通信システムは、有線網で生成されるデータ信号である有線網信号１０１が有線網を介して光通信変換装置１０３に伝送される。このような通信は、既存の電話網及び同軸網又は有線加入者網を利用する。光通信変換装置１０３は、有線網を介して伝送されたデータ信号を光信号に変換し、この光信号をＲｏＦ（Ｒａｄｉｏ Ｏｎ Ｆｉｂｅｒ）形式で伝送する。光ファイバを介した信号の伝達には、大容量の信号を伝送することができるという利点がある。
【００２７】
変換装置１０５では、ＲｏＦデータ信号を無線信号に変換し、受信端末機１０７がこの無線信号を受信し、最終通信を行う。既存の方式では、伝送されたデータ信号は、各々の通信方式によって互いに異なる変換装置を使用して無線信号に変換される。しかし、広帯域信号を利用する通信方式において、有線網信号１０１、光通信変換装置１０３を含む上記の有線網に、本発明による変換装置１０５を利用すれば、広帯域信号及び既存の移動通信網信号を分離し、広帯域信号及び移動通信網信号のそれぞれを適切な周波数信号に変換することができる。
【００２８】
この場合、光通信変換装置１０３を通じて光信号に変換される広帯域用データ信号及び移動通信網帯域信号は、増幅され、各々その特性に従って無線信号に変換され、各帯域に適した受信端末機１０７との通信が行われる。よって、広帯域環境においても既存の有線網を活用することができる。
【００２９】
図２は、本発明の例示的な実施形態による多重帯域信号の分離及び変換装置を示す構成図である。
【００３０】
図２を参照すれば、本発明による多重帯域信号の分離及び変換装置は、光電変換装置２０３及び電光変換装置２２３、第１スイッチ２０５、第２スイッチ２１３、第１移動通信帯域通過増幅器２０７及び第２移動通信帯域通過増幅器２１９、広帯域アップコンバータ２０９及び広帯域ダウンコンバータ２２１、第１広帯域増幅器２１１及び第２広帯域増幅器２１７、及び送受信機２１５を含む。
【００３１】
光電変換装置２０３は、光ファイバ２０１を介して伝送される光信号を電気的信号に変換する。光信号の場合、光ファイバ２０１を介して大容量の信号を伝達することができるが、光信号自体は複雑な変換過程を経ることができない。特に最終端末機が無線通信インタフェースを使用するので、無線通信信号の変換のために光信号を電気的信号に変換する変換装置が必要とされる。
【００３２】
また、電光変換装置２２３は、外部から受信された電気的信号を光通信網に伝達するために、電気的信号を光信号に変換する。
【００３３】
第１スイッチ２０５は、前記光電変換装置２０３で変換された電気的信号を周波数特性又はデータ形式に従って移動通信網信号と広帯域信号とに分離する。また、第１スイッチ２０５は、受信端末機から移動通信網信号や広帯域信号を受信し、移動通信網信号や広帯域信号を電光変換装置２２３に伝送する。
【００３４】
このような第１スイッチ２０５は、入力される信号のヘッダーを分析するか、パケットを調査して信号の特性を分析する。また、第１スイッチ２０５は、各信号の特性又は周波数に従って信号を分離する。
【００３５】
また、第２スイッチ２１３は、受信される信号を分析し、送受信機２１５に信号を伝達する。又は、第２スイッチ２１３は、送受信機２１５から受信された信号を信号の特性に従って分離する。
【００３６】
第１移動通信帯域通過増幅器２０７は、前記第１スイッチ２０５で受信される移動通信網信号を増幅する。第１移動通信帯域通過増幅器２０７が移動通信網信号を受信する場合は、信号の変調や信号の周波数の変換が必要なく、単純に受信された信号を増幅して、増幅された信号を送信するだけで十分である。
【００３７】
また、第２移動通信帯域通過増幅器２１９は、前記第２スイッチ２１３で受信される移動通信網信号を増幅する。
【００３８】
広帯域アップコンバータ２０９は、広帯域信号に使用される信号を受信する場合は、当該信号を広帯域無線通信に適した広帯域信号にアップコンバートする。外部の光ファイバから伝送される光通信信号のうち広帯域用に使用される信号は、一般的に基底帯域のデータ信号である。従って、既に変調されて伝送された移動通信網信号とは異なって、広帯域信号に使用される信号は、広帯域信号にアップコンバートされなければならない。
【００３９】
特に現在標準化作業が進行中の特定の広帯域周波数において、広帯域アップコンバータ２０９は、あらかじめ定められた標準化された形式に従って基底帯域データ信号を変調する。
【００４０】
また、広帯域ダウンコンバータ２２１は、受信される無線信号が広帯域信号の場合に、当該受信信号からデータ信号のみを抽出するように、受信信号を基底帯域信号にダウンコンバートする。また、広帯域ダウンコンバータ２２１は、データを復元するために広帯域信号を復調する。
【００４１】
第１広帯域増幅器２１１は、前記広帯域アップコンバータ２０９から出力された広帯域信号を増幅する。また、第２広帯域増幅器２１７は、受信された広帯域信号を増幅する。
【００４２】
送受信機２１５は、第２スイッチから伝送される信号を無線信号に変換し、外部に無線信号を伝送し、外部から受信される無線信号を第２スイッチ２１３に伝送する。送受信機２１５の種類は、各信号の周波数特性に依存し得るが、本発明の本質的事項ではないので、その説明はここでは省略される。
【００４３】
図３は、本発明の例示的な実施形態による多重帯域信号の分離及び変換方法を示す流れ図である。
【００４４】
図３を参照すれば、まず、外部から光信号を受信する（ステップ３０１）。受信された光信号を処理するために、光信号は電気的信号に変換される（ステップ３０３）。
【００４５】
電気的信号のデータパケット又は周波数を分析して、受信された光信号が基底帯域信号であるか、又は移動通信網信号であるかを判断する（ステップ３０５）。受信された光信号が基底帯域信号であれば、電気的信号は、広帯域信号にアップコンバートされ（ステップ３０７）、前記広帯域信号で使用される標準形式で変調される（ステップ３０９）。
【００４６】
その後、広帯域信号の周波数が増幅されて、変調された信号を送信するために広帯域信号の振幅を増加させる（ステップ３１１）。増幅された信号は無線信号として送信される（ステップ３１３）。
【００４７】
一方、ステップ３０１で受信された光信号が移動通信網信号であると判断されれば、受信された信号の周波数変調又は周波数変換を行うことなく受信された信号は増幅されて（ステップ３１５）、外部に送信される（ステップ３１３）。
【００４８】
上記の工程において、受信された光信号は、周波数特性によって分離及び変換されて無線通信信号として送信される。上記流れ図で説明した手順の反対手順に入力された無線信号は、光信号に変換されて有線網に伝送される。
【００４９】
図４及び図５は、本発明の例示的な実施形態によって信号が変換される前後過程を示すグラフである。
【００５０】
図４は、入力される信号の周波数に対する入力される信号の強度を示すグラフである。
【００５１】
図４を参照すれば、入力される信号は、基底帯域信号４０１と移動通信網信号４０３、４０５、４０７とに分けられる。基底帯域信号は、上記のように、実際のデータを含む下位のＲＦ信号である。
【００５２】
各通信サービス標準により移動通信網に関する帯域では多様な周波数が利用されるので、前記移動通信網信号４０３、４０５、４０７は図４に示されるように様々なスペクトルを有する。例えば、ＰＣＳサービス及びＷＣＤＭＡサービスは、８００ＭＨｚから２ＧＨｚの範囲で現在提供されている。従って、移動通信網信号４０３、４０５、４０７は、図４に示されるように、様々な種類のスペクトルを有することができる。
【００５３】
図５は、多重帯域信号の分離及び変換後の多重帯域信号の周波数に対する多重帯域信号の強度を示すグラフである。
【００５４】
図５を参照すれば、前記移動通信網信号５０１、５０３、５０５には、周波数の変化がない。しかし、図４に示された基底帯域信号４０１がなくなり、広帯域で新しい信号５０７が発生したことが分かる。
【００５５】
上記のように、本発明による装置は、移動通信網信号を既存の方式を用いて変調して、変調された信号を直接伝送する。一方で、装置は、基底帯域信号を受信し、基底帯域信号を広帯域信号にアップコンバートし、基底帯域信号を変調し、広帯域信号を伝送する。
【００５６】
上記の説明は、本発明による装置が無線信号を受信する場合には、反対に適用される。
【００５７】
図６は、本発明の他の例示的な実施形態による多重帯域信号の分離及び変換装置を示す構成図である。
【００５８】
図６に示される装置は、上記図２に示される装置とほぼ同様の構成を有する。詳細には、図６に示される装置は、第１スイッチ６０５、第２スイッチ６１３、第１移動通信帯域通過増幅器６０７及び第２移動通信帯域通過増幅器６１７、広帯域アップコンバータ６０９及び広帯域ダウンコンバータ６１９、第１広帯域増幅器６１１及び第２広帯域増幅器６２１、及び送受信機６１５を含んでいる。しかし、図６に示される装置においては、図２に示された光電変換装置及び電光変換装置が電光／光電変換装置６０３として結合されて、それにより１つの光ファイバ信号線６０１を介して光信号の送受信が可能である。この場合は、詳細には、図２に示された光電変換装置と電光変換装置の前段に光デュプレクサ（Ｏｐｔｉｃａｌ Ｄｕｐｌｅｘｅｒ）を設置することにより電光／光電変換装置６０３を具現することができる。
【００５９】
図６に示された装置は、１つの光ファイバ信号線６０１を使用して信号を伝達することができるので、製造費用を低減させることができる。
【００６０】
本発明はその特定の例示的な実施形態を参照して示され且つ記載されているが、添付の特許請求の範囲に定義された発明の精神及び範囲を逸脱することなく、その中で様々な形式及び詳細の変更が可能であることを、当業者であれば理解するであろう。
【符号の説明】
【００６１】
２０１  光ファイバ
２０３  光電変換装置
２０５  第１スイッチ
２０７  第１移動通信帯域通過増幅器
２０９  広帯域アップコンバータ
２１１  第１広帯域増幅器
２１３  第２スイッチ
２１５  送受信機
２１７  第２広帯域増幅器
２１９  第２移動通信帯域通過増幅器
２２１  広帯域ダウンコンバータ
２２３  電光変換装置
【図１】
2010537539.tif 000003
【図２】
2010537539.tif 000004
【図３】
2010537539.tif 000005
【図４】
2010537539.tif 000006
【図５】
2010537539.tif 000007
【図６】
2010537539.tif 000008
【国際調査報告】
2010537539.tif 000009
2010537539.tif 000010